(57)【特許請求の範囲】
【請求項１】
空気中の水分を吸着した後に加熱されることによって前記水分を放出する板状の吸着部材（６３）をその表面が鉛直面に沿うように配置した、空調機の室外ユニットであって、
外郭を形成する本体ケーシング（４０）と、
前記本体ケーシング（４０）に収納される室外熱交換器（３３）と、
前記本体ケーシング（４０）に収納され、前記室外熱交換器（３３）を通過する空気流を生成する室外ファン（３９）と、
前記室外ファン（３９）からの空気を前記ケーシング（４０）に設けられた吹出口（４６ａ）へ案内するベルマウス（５２）と、
を備え、
前記本体ケーシング（４０）は、
前記吹出口（４６ａ）とは異なる位置に設けられ、前記室外熱交換器（３３）を通過しない空気を導入する吸込開口（４６ｂ）、
を有し、
前記本体ケーシング（４０）内には、前記室外ファン（３９）が前記空気流を生成する際に生じる負圧によって、前記吸込開口（４６ｂ）から導入された空気を前記吸着部材（６３）へ流して前記吸着部材（６３）内を通過させる空気流路（ＡＦ２）が形成され、
前記空気流路（ＡＦ２）の下流側端部は、前記室外熱交換器（３３）を通過した空気が通る空間に面して形成されており、
前記ベルマウス（５２）における空気流れ方向の上流側端部と、前記空気流路における空気流れ方向の下流側端部とが隣接している、
空調機の室外ユニット。
【請求項２】
前記吸着部材（６３）では、前記空気流路を流れる空気中の水分を吸着する吸着側と、吸着した前記水分を放出する放出側とが並存し、前記吸着側が前記ベルマウス（５２）寄りに配置されている、
請求項１に記載の空調機の室外ユニット。
【請求項３】
前記吸着部材（６３）は、前記本体ケーシング（４０）の前面部と平行に配置されている、
請求項１又は請求項２に記載の空調機の室外ユニット。
【請求項４】
前記吸込開口（４６ｂ）及び前記ベルマウス（５２）の開口が、前記本体ケーシング（４０）の前面部に設けられている、
請求項１から請求項３のいずれか１項に記載の空調機の室外ユニット。
【請求項５】
前記吸着部材（６３）は、前記吸込開口（４６ｂ）と対向するように配置されている、
請求項４に記載の空調機の室外ユニット。
【発明の詳細な説明】
【技術分野】
【０００１】
本発明は、空調機の室外ユニットに関し、特に加湿機能を有する空調機の室外ユニットに関する。
【背景技術】
【０００２】
特許文献１（特開２００８−１９０８２８号公報）に開示されている加湿機能付き室外ユニットでは、その前面と平行に配置された板状の吸着部材に室外熱交換器を通過した空気が流れるという構成である。
【発明の概要】
【発明が解決しようとする課題】
【０００３】
しかし、上記構成では室外熱交換器の通風抵抗が大きく、吸着部材を透過させる風量を増加させることは困難であり、さらに室外熱交換器への着霜が始まるとさらに通風抵抗が増加して吸着部材への風量が減少するので、加湿性能向上の枷となっている。
【０００４】
本発明の課題は、吸着部材を透過させる風量を、室外熱交換器を通過する風量に依存せずに確保することができる、空調機の室外ユニットを提供することにある。
【課題を解決するための手段】
【０００５】
本発明の第１観点に係る空調機の室外ユニットは、空気中の水分を吸着した後に加熱されることによって水分を放出する板状の吸着部材をその表面が鉛直面に沿うように配置した、空調機の室外ユニットであって、外郭を形成する本体ケーシングと、本体ケーシングに収納される室外熱交換器と、室外ファンと、ベルマウスとを備えている。室外ファンは、本体ケーシングに収納され、室外熱交換器を通過する空気流を生成する。ベルマウスは、室外ファンからの空気をケーシングに設けられた吹出口へ案内する。本体ケーシングは、吸込開口を有している。吸込開口は、吹出口とは異なる位置に設けられ、室外熱交換器を通過しない空気を導入する。本体ケーシング内には、室外ファンが空気流を生成する際に生じる負圧によって、吸込開口から導入された空気を吸着部材へ流して吸着部材内を通過させる空気流路が形成されている。空気流路の下流側端部は、室外熱交換器を通過した空気が通る空間に面して形成されている。ベルマウスにおける空気流れ方向の上流側端部と、空気流路における空気流れ方向の下流側端部とが隣接している。
【０００６】
この空調機の室外ユニットでは、室外ファンの稼動により室外ファンの吸込側、つまりベルマウスの上流側端部が負圧になることによって吸込開口から外気が導入される。それゆえ、室外熱交換器への着霜が発生した際には室外熱交換器の通風抵抗増加で減少した風量に相当する量の空気が当該吸込開口から導入されることになり、［着霜時に吸着風量が低下していた従来］とは逆に吸着風量が増加する。
【０００７】
また、ベルマウスの上流側端部と空気流路の下流側端部とが隣接することによってベルマウスの上流側端部の負圧の効果をより多く受けることができる。その結果、吸込開口からより多くの外気を流入させることができる。
【０００８】
本発明の第２観点に係る空調機の室外ユニットは、第１観点に係る空調機の室外ユニットであって、吸着部材では、空気流路を流れる空気中の水分を吸着する吸着側と、吸着した水分を放出する放出側とが並存し、吸着側がベルマウス寄りに配置されている。
【０００９】
この空調機の室外ユニットでは、室外ファンの稼動により室外ファンの吸込側、つまりベルマウスの上流側端部が負圧になることによって吸込開口から外気が導入される。吸込開口から導入された空気は吸着部材の吸着側に導かれるのが合理的であるから、吸着側がベルマウス寄りに配置されることによってベルマウスの上流側端部の負圧の効果をより多く受けることができる。その結果、吸込開口からより多くの外気を流入させることができる。
【００１０】
本発明の第３観点に係る空調機の室外ユニットは、第１観点又は第２観点のいずれか１つに係る空調機の室外ユニットであって、吸着部材が、本体ケーシングの前面部と平行に配置されている。
【００１１】
本発明の第４観点に係る空調機の室外ユニットは、第１観点から第３観点のいずれか１つに係る空調機の室外ユニットであって、吸込開口及びベルマウスの開口が、本体ケーシングの前面部に設けられている。
【００１２】
この空調機の室外ユニットでは、室外ファンの稼動により室外ファンの吸込側、つまりベルマウスの上流側端部が負圧になることによって、室外熱交換器を通過しない外気が吸込開口から導入される。
【００１３】
本発明の第５観点に係る空調機の室外ユニットは、第４観点に係る空調機の室外ユニットであって、吸着部材が、吸込開口と対向するように配置されている。
【発明の効果】
【００１４】
本発明の第１観点に係る空調機の室外ユニットでは、室外ファンの稼動により室外ファンの吸込側、つまりベルマウスの上流側端部が負圧になることによって吸込開口から外気が導入される。それゆえ室外熱交換器への着霜が発生した際には室外熱交換器の通風抵抗増加で減少した風量に相当する量の空気が当該吸込開口から導入されることになり、［着霜時に吸着風量が低下していた従来］とは逆に吸着風量が増加する。
【００１５】
また、ベルマウスの上流側端部と空気流路の下流側端部とが隣接することによってベルマウスの上流側端部の負圧の効果をより多く受けることができる。その結果、吸込開口からより多くの外気を流入させることができる。
【００１６】
本発明の第２観点に係る空調機の室外ユニットでは、室外ファンの稼動により室外ファンの吸込側、つまりベルマウスの上流側端部が負圧になることによって吸込開口から外気が導入される。吸込開口から導入された空気は吸着部材の吸着側に導かれるのが合理的であるから、吸着側がベルマウス寄りに配置されることによってベルマウスの上流側端部の負圧の効果をより多く受けることができる。その結果、吸込開口からより多くの外気を流入させることができる。
【００１７】
本発明の第３観点に係る空調機の室外ユニットでは、第１観点又は第２観点に係る空調機の室外ユニットと同等の効果を奏する。
【００１８】
本発明の第４観点に係る空調機の室外ユニットでは、室外ファンの稼動により室外ファンの吸込側、つまりベルマウスの上流側端部が負圧になることによって、室外熱交換器を通過しない外気が吸込開口から導入される。
【００１９】
本発明の第５観点に係る空調機の室外ユニットでは、第５観点に係る空調機の室外ユニットと同等の効果を奏する。
【図面の簡単な説明】
【００２０】
【図１】本発明の一実施形態に係る室外ユニットを備えた冷凍装置の構成図。
【図２】天板が取り外された状態の室外ユニットの平面図。
【図３】前板から防護用グリルが取り外された状態の室外ユニットの正面図。
【図４】加湿ロータ及び加湿ロータを通過する空気の流れを示す斜視図。
【図５】ヒータを取り外した状態の加湿ユニットの斜視図。
【図６】前板が取り外された状態の変形例に係る室外ユニットの正面図。
【図７】図６におけるベルマウスと加湿ユニットとの位置関係を示す斜視図。
【発明を実施するための形態】
【００２１】
以下、図面を参照しながら、本発明の実施形態について説明する。なお、以下の実施形態は、本発明の具体例であって、本発明の技術的範囲を限定するものではない。
【００２２】
（１）空調機１０の構成の概要
図１は、本発明の一実施形態に係る室外ユニット３０を備えた冷凍装置の構成図である。図１において、冷凍装置は、室内ユニット２０と、室外ユニット３０と、それらを接続する冷媒連絡配管１４，１６を備えた空調機１０である。空調機１０は、冷房運転、暖房運転、除湿運転、加湿運転、及び給気運転などの複数の運転モードを持っており、これらの運転モードを適宜組み合わせることもできる。
【００２３】
室内ユニット２０には室内熱交換器２１が設けられ、室外ユニット３０には圧縮機３１、四路切換弁３２、室外熱交換器３３、電動膨張弁３４、アキュムレータ３６、液側閉鎖弁３７及びガス側閉鎖弁３８が設けられている。
【００２４】
また、加湿運転、及び給気運転では、室内に外気を供給するため、給気ホース１８を通して室内ユニット２０と室外ユニット３０との間で空気の移動がある。特に、加湿運転では、水分を多く含んだ湿度の高い空気を室外ユニット３０から室内ユニット２０に供給するため室外ユニット３０において外気から水分を取り込む。
【００２５】
本実施形態では、加湿ユニット６０が室外ユニット３０内に設けられており、加湿ユニット６０が外気から水分を取り込む機能を有している。
【００２６】
（２）室内ユニット２０の構成
室内ユニット２０には、図１に示すようにモータで駆動される室内ファン２２が室内熱交換器２１の下流側に設けられている。室内ファン２２は、クロスフローファンである。室内ファン２２が駆動されると、室内ユニット２０上部の吸込口２３から吸い込まれた室内空気は、室内熱交換器２１を通過して室内ユニット２０下部の吹出口２４から吹き出される。
【００２７】
また、室内ユニット２０には、給気ホース１８の給気口２５が、室内熱交換器２１の上流側空間に設けられている。給気ホース１８は加湿ユニット６０に接続されており、加湿ユニット６０から送られてくる湿度の高い空気が給気口２５から室内熱交換器２１の上流側空間に供給される。このような湿度の高い空気が給気口２５から供給されている状態で室内ファン２２を駆動することにより、室内ユニット２０の吹出口２４から吹き出される調和空気の湿度を高くすることができる。
【００２８】
（３）室外ユニット３０の構成
（３−１）全体構成
図２は、天板４８が取り外された状態の室外ユニット３０の平面図である。また、図３は、図２の室外ユニット３０から防護用グリル５６が取り外された状態の当該室外ユニット３０の正面図である。
【００２９】
図１〜図３において、室外ユニット３０は、ケーシング４０、室外熱交換器３３、室外ファン３９、加湿ユニット６０を備えている。室外ファン３９が駆動されると、外気が室外熱交換器３３の後面側から吸い込まれ、室外熱交換器３３を通過し、吹出口４６ａ（図３参照）から吹き出される。通常、吹出口４６ａの前面は防護用グリル５６（図２参照）で覆われており、外部からプロペラ３９ｂに触れられないようになっている。
【００３０】
加湿ユニット６０の少なくとも一部は室外ユニット３０の送風機室４１に配置され、他は機械室４２に配置される。
【００３１】
（３−２）詳細構成
（３−２−１）ケーシング４０
ケーシング４０は、左側板４５、前板４６、右側板４７、天板４８（図３参照）、底板４９（図３参照）、及び背面部４４からなる筐体であり、内部を仕切部材４３によって送風機室４１と機械室４２とに分けられている。送風機室４１には、室外熱交換器３３及び室外ファン３９が配置されている。機械室４２には、圧縮機３１及び加湿ユニット６０の一部が配置されている。
【００３２】
仕切部材４３は、天板４８側から底板４９側に向って右側板４７と略並行に延びている。また、仕切部材４３は、前板４６内面側から室外熱交換器３３の右端向かって円弧状に延びている。その結果、仕切部材４３は送風機室４１から機械室４２に風が回り込まないように遮蔽する機能を有している。
【００３３】
また、図３に示すように、前板４６には、円形の吹出口４６ａが形成されている。吹出口４６ａには、その周縁に沿うようにリング状のベルマウス５２が取り付けられている。
【００３４】
（３−２−２）圧縮機３１
図１に示すように、圧縮機３１は、機械室４２側に位置しており、底板４９に固定されている。運転時、圧縮機３１は高温になるので、機械室４２は送風機室４１に比較して温度が高くなっている。
【００３５】
（３−２−３）電装品ユニット５０
図３に示すように、電装品ユニット５０は送風機室４１に位置しており、圧縮機３１および室外ファン３９などを駆動するための電子部品を集約した制御基板を搭載している。
【００３６】
（３−２−４）室外熱交換器３３
図２に示すように、室外熱交換器３３は、ケーシング４０の背面部４４と左側板４５とに対峙できるように、Ｌ字状に成形されている。また、室外熱交換器３３の高さは、天板４８と底板４９との距離にほぼ等しい寸法を有している。
【００３７】
（３−２−５）室外ファン３９
室外ファン３９は、ファンモータ３９ａによって駆動されるプロペラ３９ｂを有しており、室外熱交換器３３の下流側に設けられている。プロペラ３９ｂの一部は、このベルマウス５２で囲まれた空間内に入るように配置されている。
【００３８】
（３−２−６）防護用グリル５６
図２に示すように、防護用グリル５６は、ケーシング４０の前板４６に取り付けられ、吹出口４６ａを覆っている。防護用グリル５６には、外気を吹き出すため、複数の開口部が形成されている。
【００３９】
（３−２−７）仕切部材４３
仕切部材４３は、ケーシング４０内を送風機室４１と機械室４２とを仕切る。本実施形態では、加湿ユニット６０が機械室４２の上部に配置されるので、加湿ユニット６０が仕切部材４３上部の一部分を兼ねている。
【００４０】
（３−２−８）加湿ユニット６０
図２に示しように、加湿ユニット６０は、前板４６と背面部４４との間で、送風機室４１と機械室４２とに跨るように配置されている。加湿ユニット６０は、加湿ロータ６３、吸着用ダクト６８、ヒータ７１、加湿用ダクト７３、ファン７５（図１参照）、及び加湿用第２ダクト１８０を有している。
【００４１】
（４）加湿ユニット６０の詳細構成
（４−１）加湿ロータ６３
図３に示すように、加湿ロータ６３は、円板状で、前板４６の吸込開口４６ｂと対向するように配置されており、モータ駆動によって回転することができる。吸込開口４６ｂは中心角が約２４０°の扇形を成しており、扇の中心軸と加湿ロータ６３の回転中心軸は同軸上に位置している。加湿ロータ６３の全周囲は、壁によって包囲されている。
【００４２】
加湿ロータ６３は吸込開口４６ｂと対向する中心角２４０°分の扇形領域で水分を吸着するので、この領域を水分吸着領域６３ａという。また、加湿ロータ６３は、水分吸着領域６３ａに隣接し吸込開口４６ｂと対向しない中心角１２０°分の扇形領域で水分を放出するので、この領域を水分放出領域６３ｂという。つまり、加湿ロータ６３は、回転角度によって水分吸着領域６３ａであった部分が水分放出領域６３ｂとなり、水分放出領域６３ｂであった部分が水分吸着領域６３ａとなる。
【００４３】
図４は、加湿ロータ及び加湿ロータを通過する空気の流れを示す斜視図である。図４において、加湿ロータ６３は、周囲にギア６３ｔが設けられている。また、図３に示すように、ギア６３ｔはピニオンギア６４ａと噛み合っており、ピニオンギア６４ａがロータ駆動用モータ６４の動力によって回転することによって、ギア６４ｔと共に加湿ロータ６３全体が回転する。
【００４４】
また、水分吸着領域６３ａ及び水分放出領域６３ｂは、ゼオライト等の焼成によって形成されたハニカム構造である。ゼオライト等の吸着剤は、常温で空気から水分を吸着し、ヒータなどで加熱された空気に曝されて温度上昇したときに水分を放出する。
【００４５】
したがって、加湿ユニット６０では、加湿ロータ６３の水分放出領域６３ｂと前板４６との間に、水分放出領域６３ｂと対向するようにヒータ７１が配置されている。
【００４６】
（４−２）吸着用ダクト６８
図５は、ヒータ７１を取り外した状態の加湿ユニット６０の斜視図である。図５において、加湿ユニット６０は、水分吸着領域６３ａに外気を導くための吸着用ダクト６８が設けられている。吸着用ダクト６８は、前板４６の吸込開口６４ｂに向かって開口する空気流入口６８１を形成している。空気流入口６８１の形状は、吸込開口４６ｂと同じく中心角が約２４０°の扇形を成している。
【００４７】
水分を含む空気は、空気流入口６８１から吸い込まれた後、吸着用ダクト６８内を流れて加湿ロータ６３の水分吸着領域６３ａに到達し、そこを透過する際に水分が吸着され、空気流出口６８３（図３参照）から排出される。空気流出口６８３は、室外ファン３９が回転するときに負圧になる空間（つまり、ベルマウス５２の上流側端部）に隣接しており、空気流出口６８３側の気圧が空気流入口６８１側より低くなる作用によって、空気が空気流入口６８１から吸い込まれる。なお、水分吸着領域６３ａが水分放出領域６３ｂよりもベルマウス５２側に配置されている。
【００４８】
図３に示すように、吸込開口４６ｂは、前板４６の吹出口４６ａの右斜め上側に設けられており、吹出口４６ａと同様に前板４６の前方に向かって開口している。室外ファン３９によって前方へ押し出された空気は、ベルマウス５２に沿って進み、吹出口４６ａから勢いよく吹き出されるので、吹出口４６ａから吹き出された空気が吸込開口４６ｂから吸い込まれることはない。
【００４９】
上記のような構成を採る目的は、より水分を含んだ空気を取り込むためである。通常、加湿運転は、暖房運転時に行われるので、室外熱交換器３３を通過した空気は低温低湿になっている。このため、低温空気が吸い込まれた場合、加湿ロータ６３が吸着することができる水分量が低下する。しかしながら、吸込開口６４ｂ及び空気流入口６８１が室外熱交換器３３を通過した空気を吸い込まない構成にしておけば、より水分を含んだ外気を取り込むことができるので、加湿ロータ６３が吸着する水分量が低下することを防止することができる。
【００５０】
（４−３）ヒータ７１
ヒータ７１は、加湿ロータ６３の水分放出領域６３ｂから水分を放出させるために、水分放出領域６３ｂに送られる空気を加熱する。加熱された空気は、水分放出領域６３ｂを透過するときに加湿ロータ６３から水分を放出させて、高湿の空気となって加湿用ダクト７３に入る。
【００５１】
（４−４）加湿用ダクト７３
図１及び図５に示すように、加湿用ダクト７３は、空気をヒータ７１経由で水分放出領域６３ｂまで導き、さらに加湿ロータ６３を透過した空気をファン７５まで導く。加湿用ダクト７３に導かれる空気の流れは、ファン７５によって発生する。
【００５２】
加湿用ダクト７３に導かれる空気は、ヒータ７１に加熱されて高温空気になり、さらに、加湿ロータ６３を透過する際に水分放出領域６３ｂから水分を放出させ高温高湿空気となってファン７５に向う。
【００５３】
（４−５）ファン７５
ファン７５は、図１に示すように、加湿空気を所定の方向へ送り出す羽根車７５ａと、その羽根車７５ａを駆動するファンモータ７５ｂとを有している。ファン７５は、羽根車７５ａの回転軸が水平方向となる姿勢で配置され、羽根車７５ａの回転軸にファンモータ７５ｂの回転軸が直結されている。また、ファン７５は機械室４２に配置されている。
【００５４】
また、羽根車７５ａはファンケーシング８１に囲まれており、このファンケーシング８１と加湿用第２ダクト１８０の入口とが繋がっている。ファンモータ７５ｂは、外側をモータカバー８２で覆われている。
【００５５】
（４−６）加湿用第２ダクト１８０
加湿用第２ダクト１８０は、ファン７５から押し出される高温高湿空気を給気ホース１８（図１参照）の接続口まで導くダクトである。加湿用第２ダクト１８０のほぼ全体が機械室４２に位置しているが、給気ホース１８との接続口を含む所定部分だけは、右側板４７を挟んで機械室４２の反対側に位置する（図２参照）。
【００５６】
図５に示すように、加湿用第２ダクト１８０は、水平ダクト部１８１と鉛直ダクト部１８２とを有している。水平ダクト部１８１は高温高湿空気を水平に導くダクトであり、鉛直ダクト部１８２は水平ダクト部１８１に流入した高温高湿空気を下方に導くダクトである。水平ダクト部１８１は、機械室４２から右側板４７の後方端に向って延びている。
【００５７】
なお、鉛直ダクト部１８２は、水平ダクト部１８１との接続口から鉛直下方に延び、終端が、給気ホース１８と接続される。
【００５８】
（５）空調機１０の動作
（５−１）冷房運転
冷房運転時、四路切換弁３２は、圧縮機３１の吐出側と室外熱交換器３３のガス側とを接続し、且つ圧縮機３１の吸入側と室内熱交換器２１のガス側とを接続する（図１の実線で示される状態）。
【００５９】
また、液側閉鎖弁３７及びガス側閉鎖弁３８は開状態である。電動膨張弁３４の開度は、室内熱交換器２１の冷媒出口における冷媒の過熱度ＳＨが過熱度目標値で一定になるように調節される。
【００６０】
この冷媒回路の状態で、圧縮機３１、室外ファン３９および室内ファン２２を運転すると、低圧のガス冷媒は、圧縮機３１に吸入されて圧縮されて高圧のガス冷媒となる。その後、高圧のガス冷媒は、四路切換弁３２を経由して室外熱交換器３３に送られて、室外ファン３９によって供給される室外空気と熱交換を行って凝縮して高圧の液冷媒となる。そして、この高圧の液冷媒は、電動膨張弁３４で減圧された後、液側閉鎖弁３７および液冷媒連絡配管１４を経由して、室内ユニット２０に送られる。
【００６１】
この室内ユニット２０に送られた低圧の冷媒は、気液二相状態の冷媒となって室内熱交換器１５に入り、室内熱交換器１５において室内空気と熱交換を行って蒸発して低圧のガス冷媒となる。
【００６２】
この低圧のガス冷媒は、ガス冷媒連絡配管１６を経由して室外ユニット３０に送られ、ガス側閉鎖弁３８及び四路切換弁３２を経由して、アキュムレータ３６に流入する。そして、アキュムレータ３６に流入した低圧のガス冷媒は、再び、圧縮機３１に吸入される。
【００６３】
このように、空調機１０では、室外熱交換器３３を冷媒の凝縮器として、かつ、室内熱交換器２１を冷媒の蒸発器として機能させる冷房運転を行うことができる。
【００６４】
（５−２）暖房運転
暖房運転時、四路切換弁３２は、圧縮機３１の吐出側と室内熱交換器２１のガス側とを接続し、且つ圧縮機３１の吸入側と室外熱交換器３３のガス側とを接続する（図１の破線で示される状態）。
【００６５】
また、電動膨張弁３４の開度は、室外熱交換器３３に流入する冷媒を室外熱交換器３３において蒸発させることが可能な圧力まで減圧するように調節される。液側閉鎖弁３７及びガス側閉鎖弁３８は開状態である。
【００６６】
この冷媒回路の状態で、圧縮機３１、室外ファン３９および室内ファン２２を運転すると、低圧のガス冷媒は、圧縮機３１に吸入されて圧縮されて高圧のガス冷媒となり、四路切換弁３２、ガス側閉鎖弁３８およびガス冷媒連絡配管１６を経由して、室内ユニット２０に送られる。
【００６７】
室内ユニット２０に送られた高圧のガス冷媒は、室内熱交換器２１において、室内空気と熱交換を行って凝縮して高圧の液冷媒となり、液冷媒連絡配管１４を経由して室外ユニット３０に送られる。
【００６８】
液冷媒は、液側閉鎖弁３７を通過して、電動膨張弁３４に入る。液冷媒は、電動膨張弁３４で減圧された後に、室外熱交換器３３に流入する。室外熱交換器３３に流入した低圧の気液二相状態の冷媒は、室外ファン３９によって供給される室外空気と熱交換を行って蒸発して低圧のガス冷媒となり、四路切換弁３２を経由してアキュムレータ３６に流入する。アキュムレータ３６に流入した低圧のガス冷媒は、再び、圧縮機３１に吸入される。
【００６９】
（５−３）加湿運転
空調機１０では、加湿運転は暖房運転と組み合わせて行われる。図２、図３及び図５に示すように、吸着用ダクト６８の空気流入口６８１（図５参照）は前板４６の吸込開口６４ｂ（図３参照）に向かって開口し、空気流出口６８３（図２参照）は室外ファン３９が回転するときに負圧となるベルマウス５２の上流側端部に隣接している。室外ファン３９が稼動すると、空気流出口６８３側の気圧が空気流入口６８１側より低くなり、その作用によって「室外熱交換器３３を通っていない、水分を含んだ外気」が空気流入口６８１から吸い込まれる。
【００７０】
加湿ロータ６３は、空気流入口６８１と空気流出口６８３との間で且つ空気流出口６８３近傍に位置し、加湿運転時にはロータ駆動用モータ６４の動力によって所定の回転速度で回転している。加湿ロータ６３の回転によって、水分吸着領域６３ａで加湿ロータ６３に吸着された水分は加湿ロータ６３の回転に伴って水分放出領域６３ｂに運ばれ、ヒータ７１に対向する位置に来る。
【００７１】
また、ファン７５も駆動しているので、外気がヒータ７１周囲に回り込み、加熱される。加熱された空気は、加湿ロータ６３の水分放出領域６３ｂを通るので、その加熱された空気に曝された部分から水分が放出される。そして、水分を含んだ空気（以下、加湿空気という。）はファン７５に吸い込まれ、加湿用第２ダクト１８０を介して給気ホース１８へと吹き出される。加湿された空気は、給気ホース１８を経て室内ユニット２０へと導かれる。
【００７２】
（６）特徴
（６−１）
室外ユニット３０では、室外熱交換器３３を通過しない空気が吸込開口４６ｂから流入する。その結果、室外熱交換器３３への着霜が発生した際には室外熱交換器３３の通風抵抗増加で減少した風量に相当する量の空気が吸込開口４６ｂから導入されることになり、［着霜時に吸着風量が低下していた従来］とは逆に吸着風量が増加する。
【００７３】
（６−２）
室外ユニット３０では、室外ファン３９の稼動により室外ファン３９の吸込側、つまりベルマウス５２の上流側端部が負圧になり、その作用によって吸込開口４６ｂから外気が導入される。特に、ベルマウス５２の上流側端部と、空気流路ＡＦ２の下流側端部である吸着用ダクト６８の空気流出口６８３とが隣接するので、ベルマウス５２の上流側端部の負圧の効果をより多く受けることができる。その結果、吸込開口４６ｂからより多くの外気を流入させることができる。
【００７４】
（６−３）
吸込開口４６ｂから導入された空気は加湿ロータ６３の水分吸着領域６３ａに導かれるのが合理的であるから、水分吸着領域６３ａ側がベルマウス５２寄りに配置されることによってベルマウス５２の上流側端部の負圧の効果をより多く受けることができる。その結果、吸込開口４６ｂからより多くの外気を流入させることができる。
【００７５】
（７）変形例
図６は、前板が取り外された状態の変形例に係る室外ユニット３０の正面図である。また図７は、図６におけるベルマウス５２と加湿ユニット６０との位置関係を示す斜視図である。
【００７６】
図６及び図７において、室外ユニット３０では、デッドスペースの最小化を考慮すると前板４６における吹出口４６ａ及び吸込開口４６ｂが吹出口４６ａの縦軸上又は横軸上に並べて配置されること不合理であり、吸込開口４６ｂは吹出口４６ａと前板４６の右上コーナーとの間に配置される。
【００７７】
吹出口４６ａと吸込開口４６ｂとの中心間距離は、ベルマウス５２と吸着用ダクト６８との中心間距離であり、上記実施形態では両者の外周同士が干渉しない最短距離に設定されている。
【００７８】
負圧を利用して吸込開口４６ｂから外気を取り込むため、空気流出口６８３に負圧が作用するように、ベルマウス５２の上流側端部の周縁と吸着用ダクト６８の空気流出口６８３の周縁を近接させている。なお、ここまでの記載事項については、上記実施形態にも適用されている。
【００７９】
ここで、ベルマウス５２の上流側端部の負圧が空気流出口６８３に効果的に作用する理想的な構成は、ベルマウス５２の中心軸と吸着用ダクト６８の中心軸とが一点で交差することである。
【００８０】
しかし、加湿ロータ６３の水分吸着領域６３ａを除く加湿ユニット６０を機械室４２に収納させるという構造的制約上、ベルマウス５２の中心軸と吸着用ダクト６８の中心軸とが一点で交差する構成は採用できない。
【００８１】
そこで、本変形例では、ベルマウス５２の上流側端部の負圧が吸着用ダクト６８の空気流出口６８３に効果的に作用するように、加湿ロータ６３を傾斜させている。図７に示すように、加湿ロータ６３の板面が、ベルマウス５２の開口面に対して所定角度θだけ傾斜しており、その所定角度θは５°〜４５°の範囲内であり、推奨値は３０°である。
【００８２】
加湿ロータ６３の板面がベルマウス５２の開口面に対して所定角度θだけ傾斜することによって、ベルマウス５２の上流側端部と、空気流出口６８３がより接近するので、空気流出口６８３はベルマウス５２の上流側端部の負圧の効果をより多く受けることができる。その結果、吸込開口４６ｂからより多くの外気を流入させることができる。
【産業上の利用可能性】
【００８３】
以上のように、本願発明によれば、加湿ユニットを備えた空調機の室外ユニットに限らず、仕切部材によって空間を２分割されたケーシング内にそれら２つの空間を跨ぐように他のユニットが配置される機器にも有用である。
【符号の説明】
【００８４】
１０      空調機
３０      室外ユニット
３３      室外熱交換器
３９      室外ファン
４０      本体ケーシング
４６ａ    吹出口
４６ｂ    吸込開口
５２      ベルマウス
６３      加湿ロータ（吸着部材）
【先行技術文献】
【特許文献】
【００８５】
【特許文献１】特開２００８−１９０８２８号公報
【図１】
0006032344.tif 000002
【図２】
0006032344.tif 000003
【図３】
0006032344.tif 000004
【図４】
0006032344.tif 000005
【図５】
0006032344.tif 000006
【図６】
0006032344.tif 000007
【図７】
0006032344.tif 000008